(57)【要約】【課題】  ボルトおよびナットの締結部分の緩みを防止すること、および、いたずらでナットを緩められることを防止することにある。【解決手段】  被固着物を締結しているナット３に装着され、ナット３の側部３ａを覆う筒状のキャップ本体を備えたリターンロックキャップにおいて、キャップ本体には外周壁１１から径方向の内側に向かって延びる係止爪１２が設けられ、キャップ本体をナット３に装着させた状態で、係止爪１２がナット３の頭部によって変形し、ナット３の頭部から突出しているボルト２のねじ部と係止爪１２が係合している。【選択図】      図１
2005320997.tif 000002
【特許請求の範囲】
【請求項１】
被固着物を締結しているナットに装着され、前記ナットの側部を覆う筒状のキャップ本体を備えたリターンロックキャップにおいて、
前記キャップ本体には外周壁から径方向の内側に向かって延びる係止爪が設けられ、前記キャップ本体を前記ナットに装着させた状態で、前記係止爪が前記ナットの頭部によって変形し、前記ナットの頭部から突出している前記ボルトのねじ部と前記係止爪が係合していることを特徴とするリターンロックキャップ。
【請求項２】
前記キャップ本体には、前記外周壁の周方向に間隔をおいて複数の係止爪が設けられ、該係止爪が対向して配置されていることを特徴とする、請求項１に記載のリターンロックキャップ。
【請求項３】
前記係止爪が前記外周壁の上端部から前記ナットの中心軸に向かって斜め下側に延びていることを特徴とする、請求項１または請求項２に記載のリターンロックキャップ。
【請求項４】
前記キャップ本体と前記係止爪とが、金属板をプレス加工することにより一体に形成されていることを特徴とする、請求項１から請求項３のいずれかに記載のリターンロックキャップ。
【発明の詳細な説明】
【技術分野】
【０００１】
本発明は、例えば鉄塔組立時などに使用するボルトとナットの緩み止め、および、ボルトまたはナットをいたずらで緩められるのを防止すためのリターンロックキャップに関するものである。
【背景技術】
【０００２】
従来、被固着物を締結する場合には、ＪＩＳ等で規格化されている六角ボルトおよび六角ナットが用いられている。これらの部品は、流通性およびコスト性に優れているからである。しかしながら、これらの六角ボルトと六角ナットを鉄塔組立構造などに用いた場合、この鉄塔が有する固有振動によって経年的に緩みを誘発させることがある。
【０００３】
このような緩みを防止するための方法としては、一般的にはダブルナットで固定する方法がある。しかしながら、このダブルナットでは、鉄塔組立構造のようにボルトやナットが外部に露出した状態にある場合、作業者以外の者が一般的な工具を用いて容易に緩めることができてしまう。そのため、愉快犯などによるいたずら等でナットを緩められることがある。
【０００４】
このような緩み止め、およびいたずら防止の対策としては、特許文献１のような技術が開示されている。この技術では、キャップの内部に回転可能なソケットと、そのソケットに回転力を与える渦巻ばねを設けている。また、ソケットの回転を止めるためのねじを設け、ソケットをナットに嵌合させ、キャップをボルトとナットで締結した部材の一方に固定している。そして、ねじによるソケットの回り止めを解除し、予め巻き締められた渦巻ばねの力でナットに常時締付け力を働かせるようにしたものである。これによれば、いたずら等で六角ナットを緩められる恐れもない。
【特許文献１】特開２００３−４２１２６号公報
【発明の開示】
【発明が解決しようとする課題】
【０００５】
しかしながら、上述の方法では構造が複雑であり、鉄塔組立などのように、ボルトとナットの締結部の数が多い場合にはコスト高となってしまうため、実用には不向きである。
【０００６】
本発明はこのような実情に鑑みてなされたものであって、その目的は、簡単な形状で形成され、振動等によるボルトおよびナットの締結部分の緩みを防止することにある。また、いたずらでナットを緩められることを防止することにある。
【課題を解決するための手段】
【０００７】
本発明では、被固着物を締結しているナットに装着され、前記ナットの側部を覆う筒状のキャップ本体を備えたリターンロックキャップにおいて、前記キャップ本体には外周壁から径方向の内側に向かって延びる係止爪が設けられ、前記キャップ本体を前記ナットに装着させた状態で、前記係止爪が前記ナットの頭部によって変形し、前記ナットの頭部から突出している前記ボルトのねじ部と前記係止爪が係合している。
また、前記キャップ本体には、前記外周壁の周方向に間隔をおいて複数の係止爪が設けられ、該係止爪が対向して配置されている。
さらに、前記係止爪が前記外周壁の上端部から前記ナットの中心軸に向かって斜め下側に延びている。
さらにまた、前記キャップ本体と前記係止爪とが、金属板をプレス加工することにより一体に形成されている。
【発明の効果】
【０００８】
本発明では、被固着物を締結しているナットに装着され、前記ナットの側部を覆う筒状のキャップ本体を備えたリターンロックキャップにおいて、前記キャップ本体には外周壁から径方向の内側に向かって延びる係止爪が設けられ、前記キャップ本体を前記ナットに装着させた状態で、前記係止爪が前記ナットの頭部によって変形し、前記ナットの頭部から突出している前記ボルトのねじ部と前記係止爪が係合していることにより、例えば、鉄塔の構造物において、振動によってナットが緩む方向に移動するのをリターンロックキャップで防止することができる。また、ナットの側部を外周壁で覆っているので、部外者によるいたずらなどでナットを緩められることを防止することができる。これらにより、保守上および保安上の作業を軽減することができる。
また、前記キャップ本体には、前記外周壁の周方向に間隔をおいて複数の係止爪が設けられていることにより、係止爪がボルトのねじ部とより多くの箇所で係合するようになるので、確実にナットの緩みを防止することができる。また、係止爪が対向して配置されていることにより、係止爪がボルトのねじ部と係合した状態で、対向するどちらか一方の係止爪の方にリターンロックキャップがずれたときでも、もう一方の係止爪が確実に係合している状態にすることができる。
さらに、前記係止爪が前記外周壁の上端部から前記ナットの中心軸に向かって斜め下側に延びていることにより、係止爪にナットの着脱方向に対して弾性力を与えることができる。
さらにまた、前記キャップ本体と前記係止爪とが、金属板をプレス加工することにより一体に形成されていることにより、最小限度の部品の数にすることができる。
【発明を実施するための最良の形態】
【０００９】
以下、本発明の実施をするための最良の形態について、図１〜図６を用いて詳細に説明する。図１は、リターンロックキャップをナットに装着する前の状態を示している。図２（ａ）および図２（ｂ）は、リターンロックキャップの単体の状態を示している。図３は、リターンロックキャップをナットに装着した状態の外観を斜視図で示している。
【００１０】
図１に示すように、２つの被固着物１が六角ボルト２および六角ナット３で取り付けられている。この六角ナット３には、六角ナット３の締結方向からリターンロックキャップ１０が六角ナット３を覆うように取り付けられる。このリターンロックキャップ１０の本体には、図１、図２（ａ）および図２（ｂ）に示すように、六角ナット３の側部３ａを覆う外周壁１１と、この外周壁１１の上端部から六角ボルト２の中心軸１４に向かって（外周壁１１から径方向の内側に向かって）延びる係止爪１２とが設けられている。
外周壁１１は、略円筒形状に形成されており、該円筒形状の内側に形成された円周状の内周面１１ａと外側に形成された円周状の外周面１１ｂとを備えている。
【００１１】
係止爪１２は、図２（ａ）に示すように、中心軸１４を中心とする円弧状の孔１３から径方向に延びるスリット１３ａが入れられて、８個の先端部１２ａが周方向に間隔をおいて形成されている。この係止爪１２は、外周壁１１の上端部１１ｃからナット３の中心軸１４に向かって斜め下側に向かって延びており、８個の係止爪１２が六角ナット３の着脱方向にそれぞれ変形するようになっている。
【００１２】
円弧状の孔１３は、係止爪１２が斜め下側に向いている状態で、六角ボルト２のねじ軸の内径よりも若干大きい直径（図４参照）を有している。他方、先端部１２ａが塑性変形して係止爪１２が六角ナット３の頭部と略平行になったときに（図５参照）、この円弧状の孔１３の直径は、ボルト２のねじ軸の谷径とほぼ等しくなるように係止爪１２が形成されている。
【００１３】
なお、このリターンロックキャップ１０は、金属板をプレス加工して形成されており、外周壁１１および係止爪１２は一体に形成されている。この金属板の板厚は、六角ボルト２のねじ部の形状に合わせて選定されている。詳細には、このねじ部のピッチ長さよりも板厚が小さくなるように選定されている。
【００１４】
次に、本発明の実施の形態に係るリターンロックキャップ１０の取り付け手順について図４および図５を用いて説明する。
リターンロックキャップ１０は、六角ボルト（ナット）の中心軸１４とリターンロックキャップの中心軸５がほぼ一致するように、六角ナット３に被せられる。このとき、係止爪１２は斜め下側を向いているので、係止爪１２と六角ボルト３のねじ部は当接することなく、手でリターンロックキャップ１０を被せることができる。
【００１５】
次に、リターンロックキャップ１０から突出している六角ボルト２のねじ部に、平座金２０を挿入し、さらに六角ナット２１を締結する。この六角ナット２１を締め付けると、リターンロックキャップ１０が平座金２０を介して締結方向に押されるようになる。これにより、平座金２０は、ナット２１の締結力を係止爪１２に均等に分配し、斜め下側に向けられた係止爪の先端部１２ａは、締結された六角ナット３の頭部（ナット上面）に押圧されて、係止爪の先端部１２ａが六角ボルトのねじ部に食い込むように係合する。
【００１６】
図５に示すように、六角ナット２１を完全に締め付けると、係止爪１２は塑性変形して六角ナット３の頭部とほぼ平行になる。この状態で、係止爪１２の先端は、六角ボルトの谷部に入り込み、係止爪１２がねじ部と完全に係合する。そして、平座金２０と六角ナット２１を取り外し、図３および図５に示すように、リターンロックキャップ１０が六角ナット３に取り付けられた状態となる。
【００１７】
本発明の実施の形態に係るリターンロックキャップ１０では、係止爪１２が設けられているため、係止爪１２が六角ボルト２のねじ部と係合して、リターンロックキャップ１０がナット３の緩む方向に移動しないようになっている。そのため、六角ナット３が緩む方向に移動しようとしても、リターンロックキャップ１０が六角ナット３の頭部を押さえているため、六角ナット３が緩まないようにすることができる。仮に六角ボルト２の頭部をスパナで緩めようとした場合、六角ボルト全体が一緒に廻る「共廻り現象」が起きるか、若しくは、ねじ部に食い込んだ係止爪１２がねじ部のねじ山を削り取り、ボルトおよびナットが空回りする状態になる。
【００１８】
また、リターンロックキャップ１０が六角ナット３の側部３ａを覆っているので、一般に使用されているスパナ等を用いていたずらで六角ナット３を緩めようとしても緩めることができない。
さらに、リターンロックキャップ１０が簡単な構造で、かつ一体的に形成されているので、部品として安価に製作することができる。
【００１９】
以上、本発明の実施の形態について述べたが、本発明は既述の実施形態に限定されるものではなく、本発明の技術思想に基づいて各種の変形および変更が可能である。
例えば、外周壁１１の内周面１１ａを六角ナットの側部３ａが有する６個の角部４と面で接触させることにより、係止爪１２とねじ部の係合をより確実にすることができる。
また、上記実施例では、ボルトおよびナットを六角ボルトと六角ナットとしたが、頭部の形状は六角形ではなく、他の形状を有していてもよい。
さらに、上記実施例では、係止爪１２の数を８個としたが、ボルトおよびナットの径の大きさや、係止爪１２の加工方法などに合せて適宜変更することができる。
【図面の簡単な説明】
【００２０】
【図１】本発明の実施の形態に係るリターンロックキャップをナットに被せる状態を示したものであって、リターンロックキャップの一部を断面で示した側部断面図である。
【図２】本発明の実施の形態に係るリターンロックキャップであって、（ａ）は上面図、（ｂ）は（ａ）のＡ−Ａ線で切断した側部断面図である。
【図３】本発明の実施の形態に係るリターンロックキャップをナットに取り付けた状態を示す斜視図である。
【図４】本発明の実施の形態に係るリターンロックキャップをナットに被せる作業を説明するための状態図であって、リターンロックキャップの一部を断面で示したものである。
【図５】本発明の実施の形態に係るリターンロックキャップをナットに被せる作業を説明するための状態図であって、リターンロックキャップの一部を断面で示したものである。
【符号の説明】
【００２１】
１  被固着物
２  六角ボルト（ボルト）
３  六角ナット（ナット）
３ａ  ナットの側部
４  六角ナットの角部
５  中心軸
１０  リターンロックキャップ
１１  外周壁
１１ａ  内周面
１１ｂ  外周面
１１ｃ  上端部
１２  係止爪
１２ａ  先端部
１３  孔
１３ａ  スリット
１４  中心軸
２０  平座金
２１  六角ナット
【図１】
2005320997.tif 000003
【図２】
2005320997.tif 000004
【図３】
2005320997.tif 000005
【図４】
2005320997.tif 000006
【図５】
2005320997.tif 000007